(57)【要約】【課題】運転時は、本体設置状態が安定しており、かつ非運転時の移動も容易な、使い勝手の良い生ごみ処理機を提供すること。【解決手段】生ごみを収納する生ごみ収納容器１と、生ごみ収納容器１内の生ごみを加熱乾燥するための乾燥手段２、３とを有する本体と、前記本体を移動するための手掛け部１５と、移動用の車輪２５とを備え、前記手掛け部１５を操作したときに、前記移動用の車輪２５が床面に接地する構成としたもので、手掛け部を、例えば、持ち上げたときにのみ移動用の車輪が床面に接地する等することにより、運転時は、振動等で本体が移動することもなく、また手掛け部を持ち上げれば、車輪により容易に移動することができる、使い勝手の良い生ごみ処理機が提供できる。【選択図】図１
2006159060.tif 000002
【特許請求の範囲】
【請求項１】
生ごみを収納する生ごみ収納容器と、前記生ごみ収納容器内の生ごみを加熱乾燥するための乾燥手段とを有する本体と、前記本体を移動するための手掛け部と、移動用の車輪とを備え、前記手掛け部を操作したときに、前記移動用の車輪が床面に接地する構成とした生ごみ処理機。
【請求項２】
手掛け部近傍に空気取り入れ口を設け、前記空気取り入れ口より本体冷却用の空気を取り入れる構成とした請求項１記載の生ごみ処理機。
【請求項３】
手掛け部は、樹脂などの熱伝導性の低い材料で形成した請求項１記載の生ごみ処理機。
【請求項４】
手掛け部に蓋開閉操作をロックするロック機構を設けた請求項１記載の生ごみ処理機。
【請求項５】
本体を支える防振用足座によって、移動用の車輪を回動自在に取り付けた取付枠を保持してなる請求項１から４のいずれか１項に記載の生ごみ処理機。
【発明の詳細な説明】
【技術分野】
【０００１】
本発明は主に家庭の台所で発生する生ごみを減量及び減容させる生ごみ処理装置に関するものである。
【背景技術】
【０００２】
従来、この種の生ごみ処理装置は生ごみを減量、減容している（例えば、特許文献１参照）。
【０００３】
図１０は、従来の生ごみ処理装置を示すもので、生ごみ収納容器１０１内を加熱する上部加熱手段１０２と、送風ファン１０３と、撹拌手段１０４と、生ごみ収納容器１０１の蓋１０５とを配備し、生ごみ収納容器１０１より蒸発される蒸気から臭気を除去するための脱臭装置１０６と、脱臭装置１０６の排気側に吸引ファン１０７を設けてある。脱臭装置１０６には、通過する空気の臭気を酸化反応で脱臭するための白金等の化学物質が担持してある薄板１０９と薄板１０９を加熱する触媒ヒータ１１０が配備されている。上記構成において生ごみ収納容器１０１の生ごみは、上部加熱手段１０２と送風ファン１０３によって加熱される。生ごみより発生した蒸気は、脱臭装置１０６にいたり、脱臭装置１０６内にて化学反応により臭気を除去された後、吸引ファン１０７により排出される。同時に生ごみは、撹拌手段４により、撹拌・粉砕されながら乾燥され、乾燥終了後は、減量・細分化される。吸引ファン１０７より排出される排気は、脱臭装置１０６内で化学反応で脱臭される際、触媒ヒータ１１０に加熱されるため高温になる。そのままでは高温の空気を排出することになるため、冷却ファン１１１によって本体前方より吸引した外気と混合させ、冷却した後、排気口１１３より排出する構成をとっている。なお生ごみ収納容器１０１は乾燥用容器１１２内に配置させている。
【特許文献１】特開２００３−２６６０４６号公報
【発明の開示】
【発明が解決しようとする課題】
【０００４】
上記生ごみ処理機を使用するに当たっては、設置に少なからずスペースを要するため、狭い台所では置き場所が取れないケースがあった。また処理中は、多少本体が熱を持つことから、狭い場所にて運転する際には本体、およびその周辺が熱くなる場合があった。
【０００５】
そのため、生ごみ処理時は、本体を広い場所に移動して運転し、使い終われば冷蔵庫の横などの狭いスペースに押し込んで収納することが考えられるが、本体の質量が重く、また運転直後は本体も熱くなっていることから、容易に移動させることができなかった。もちろんキャスターなどをつければ移動は容易くなるが、生ごみ処理時の振動で本体が移動してしまい、不安定なものとなるなど問題を有していた。
【０００６】
本発明は上記課題を解決するもので、運転時は、本体設置状態が安定しており、かつ移動が容易で手を触れても著しく熱くならない使い勝手の良い生ごみ処理機を提供することを目的とするものである。
【課題を解決するための手段】
【０００７】
上記従来の課題を解決するために、本発明の生ごみ処理機は、生ごみを収納する生ごみ収納容器と、前記生ごみ収納容器内の生ごみを加熱乾燥するための乾燥手段とを有する本体と、前記本体を移動するための手掛け部と、移動用の車輪とを備え、前記手掛け部を操作したときに、前記移動用の車輪が床面に接地する構成としたので、手掛け部を例えば持ち上げたときのみ移動用の車輪が床面に接地することにより、運転時は、振動で本体が移動することなく、それでいて手掛け部を持ち上げれば容易に移動することができる生ごみ処理機を提供できる。
【発明の効果】
【０００８】
本発明は、運転時は本体設置状態が安定しており、それでいて移動が容易で、かつ移動中は蓋が開くことがなく手を触れても熱くない、安全で使い勝手の良い生ごみ処理機を提供することができる。
【発明を実施するための最良の形態】
【０００９】
第１の発明は、生ごみを収納する生ごみ収納容器と、前記生ごみ収納容器内の生ごみを加熱乾燥するための乾燥手段とを有する本体と、前記本体を移動するための手掛け部と、移動用の車輪とを備え、前記手掛け部を操作したときに、前記移動用の車輪が床面に接地する構成としたので、手掛け部を、例えば持ち上げたときのみ移動用の車輪が床面に接地することにより、運転時は、振動で本体が移動することなく、それでいて手掛け部を持ち上げれば容易に移動することができる。
【００１０】
第２の発明は、手掛け部近傍に空気取り入れ口を設け、前記空気取り入れ口より本体冷却用の空気を取り入れる構成としたので、手掛け部が常に冷却されているので手掛け部に手を触れても熱くならず、運転直後でも安全に本体を移動することができる。
【００１１】
第３の発明は、手掛け部を樹脂などの熱伝導性の低い材料で形成したもので、さらに手掛け部の温度上昇を抑え、手掛け部が熱くなるのを防止するものである。
【００１２】
第４の発明は、手掛け部に蓋開閉操作をロックするロック機構を設けたもので、手を掛けたときに、蓋が開くことを防止するため、移動中に誤って蓋が開くことがなく、安全に本体を移動することができるものである。
【００１３】
第５の発明は、本体を支える防振用足座によって、移動用の車輪を回動自在に取り付けた取付枠を保持してなるもので、運転中にフリーになっている車輪の微振動を吸収し、運転時の異音の発生を防止することができる。
【００１４】
（実施の形態１）
本発明の実施の形態１について、図１〜図６を用いて従来構成との違いを説明する。
【００１５】
生ごみ収納容器１内を加熱する上部加熱手段２と、送風ファン３と、撹拌手段４と、生ごみ収納容器１の蓋５とを配備し、生ごみ収納容器１より蒸発される蒸気から臭気を除去するための脱臭装置６と、脱臭装置６の排気側に吸引ファン７を設けてある。脱臭装置６には、通過する空気の臭気を酸化反応で脱臭するための白金等の化学物質が担持してある薄板９と薄板９を加熱する触媒ヒータ１０が配備されている。上記構成において生ごみ収納容器１の生ごみは、上部加熱手段２と送風ファン３によって加熱される。生ごみより発生した蒸気は、脱臭装置６に至り、脱臭装置６内にて化学反応により臭気を除去された後、吸引ファン７により排出される。同時に生ごみは、撹拌手段４により、撹拌、粉砕されながら乾燥され、乾燥終了後は、減量・細分化される。吸引ファン７より排出される排気は、脱臭装置６内で化学反応で脱臭される際、触媒ヒータ１０に加熱されるため高温になる。そのままでは高温の空気を排出することになるため、冷却ファン１１によって本体前方より吸引した外気と混合させ、冷却した後、排気口１３より排出する構成をとっている。なお生ごみ収納容器１は乾燥用容器１２内に配置させている。
【００１６】
１５は手掛け部で本体カバー１６の前面に配置しており、指を掛ける部分１７が形成してある。奥には補強部１８が連結してあり、補強部１８は、乾燥用容器１２に締結してあるため、手掛け部１５に加えた力は、本体の中心部材でもあり、剛性を有する乾燥用容器１２にて受けることになる。
【００１７】
補強部１８には、蓋５に設けた施錠用の尾錠１９のフック２０を掛けるフック掛け部２１が形成してあり、手掛け部１５を前方に引いた場合は、補強部１８のフック掛け部２１も前方にたわみ、尾錠１９のフック２０は、より深く引っ掛かることになるので、手掛け部１５に手を掛け、本体を引き出すときには、蓋の施錠はより確実なものとなっている。
【００１８】
さらに指を掛ける部分１７の奥には、ストッパー２２が上下動自在に設けてあり、指を掛けたときには、ストッパー２２が上方に突出するため、尾錠１９の回動がロックされ、その場合は蓋５は完全に開かなくなる。よって本体移動中に誤って蓋５が開くことはなくなる。
【００１９】
２５は本体底部に設けた車輪で、車輪２５を回動自在に保持する車輪取付枠２６に取り付けてあり、車輪取付枠２６は、足ゴム２７と底板２８との間に挟まれて固定してある。そのため運転時の車輪取付枠２６の振動は足ゴム２７に吸収され、異音は発生しなくなる。
【００２０】
車輪２５は、通常は、床面より浮いているが、手掛け部１５を持ち上げて本体が後方に傾いたときに接地する。したがって手掛け部１５を持ち上げたときは、本体の自重は車輪２５が受けるため、移動は容易に行うことができる。
【００２１】
また車輪２５の位置を図６のように後方端まで伸ばした位置に配置すれば、本体を押し込んだときに壁に先当たりするため、本体を変形させることなく収納することができる。
【００２２】
手掛け部１５は、樹脂で形成されており乾燥用容器１２などの熱は伝わりにくく、さらに空気取り入れ口２３を形成しており、そこから冷却ファン１１によって冷却風を吸引しているため、運転中は常に手掛け部１５も冷却される。したがって運転直後に本体を移動したとしても手掛け部１５の温度は、熱くなく、やけどなどの恐れはまったくない。
【００２３】
このように本実施の形態によれば、本体を安全でかつ容易に移動させることができ、ごみを入れて運転するときはスムーズに本体を引き出し、運転が終われば容易に元の収納場所にしまうことができ、場所をとらず、使い勝手の良い生ごみ処理機を提供することができる。
【産業上の利用可能性】
【００２４】
以上のように、本発明にかかる生ごみ処理機は、本体の移動操作性に優れているので、設置場所に自由度を有し、家庭、レストラン、各種施設の食堂から排出される生ごみを処理する機器として使い勝手の良い極めて有用なものである。
【図面の簡単な説明】
【００２５】
【図１】本発明の実施の形態１における生ごみ処理装置の構成図
【図２】本発明の実施の形態１における生ごみ処理装置の斜視図
【図３】本発明の実施の形態１における生ごみ処理装置の操作状態を示す図
【図４】本発明の実施の形態１における生ごみ処理装置の部分構成図
【図５】本発明の実施の形態１における生ごみ処理装置の部分構成図
【図６】本発明の実施の形態２における生ごみ処理装置の部分構成図
【図７】従来例における生ごみ処理装置の部分構成図
【符号の説明】
【００２６】
１  生ごみ収納容器
２  加熱手段
３  送風ファン
５  蓋
１１  冷却ファン
１２  乾燥用容器
１５  手掛け部
１６  本体カバー
１７  指を掛ける部分
１８  補強部
１９  尾錠
２０  フック
２１  フック掛け部
２２  ストッパー
２３  空気取り入れ口
２５  車輪
２６  車輪取付枠
２７  足ゴム
２８  底板
【図１】
2006159060.tif 000003
【図２】
2006159060.tif 000004
【図３】
2006159060.tif 000005
【図４】
2006159060.tif 000006
【図５】
2006159060.tif 000007
【図６】
2006159060.tif 000008
【図７】
2006159060.tif 000009